(57)【要約】【課題】  電波暗室の床面上で回転自在なターンテーブルにおいて、該ターンテーブルの一部に開閉自在な格納扉を、電波暗室で要求される電磁波遮蔽効果を保って構成する。【解決手段】  ターンテーブル装置１０は、電波暗室の床面１１上で回転可能なターンテーブル本体１２を備えている。このターンテーブル本体１２の一部には開口部１３が開けられ、この開口部１３を開閉する格納扉１４が設けられている。この格納扉１４は、左、右一対の扉体１４ａ，１４ｂを備え、これらの扉体１４ａ，１４ｂは、前記開口部１３内で昇降自在に支持されるとともに、ターンテーブル本体１２の下面側において水平方向に移動することにより、該開口部１３を開放するように構成されている。【選択図】        図１
2005156512.tif 000002
【特許請求の範囲】
【請求項１】
電波暗室の床面上で回転可能なターンテーブル本体を備えているターンテーブル装置であって、
前記ターンテーブル本体の一部に開けられた開口部を開閉する格納扉を備え、
この格納扉は、前記開口部内で昇降自在に支持されるとともに、ターンテーブル本体の下面側において水平方向に移動することにより、該開口部を開放するように構成されていることを特徴とする格納扉付きターンテーブル装置。
【請求項２】
請求項１記載の格納扉付きターンテーブル装置において、
前記格納扉は、左、右一対の扉体を備えていることを特徴とする格納扉付きターンテーブル装置。
【請求項３】
請求項１または請求項２記載の格納扉付きターンテーブル装置において、
前記格納扉の開閉駆動機構は、該格納扉を前記開口部内で昇降動作させる昇降機構部と、ターンテーブル本体の下面側で開口部位置から退避させる水平機構部とから構成されていることを特徴とする格納扉付きターンテーブル装置。
【請求項４】
請求項１、請求項２または請求項３記載の格納扉付きターンテーブル装置において、
前記ターンテーブル本体の下方には、前記開口部に嵌合する基台を備え該基台上に一部を露呈した状態で回転自在に支持される複数のローラを設けてなるローラユニットが昇降自在に配置され、
このローラユニットを、前記格納扉の開扉時において前記開口部に嵌合させるように構成されていることを特徴とする格納扉付きターンテーブル装置。
【発明の詳細な説明】
【技術分野】
【０００１】  本発明は、電波暗室や電磁波遮蔽室、電波シールド室等（以下、電波暗室という）において、車両などの試験対象物を搭載して回動することにより電磁気的な試験等を行う際に用いられる格納扉付きターンテーブル装置に関する。
【背景技術】
【０００２】  たとえばアンテナ試験、電子機器のＥＭＣ（Ｅｌｅｃｔｒｏ  Ｍａｇｎｅｔｉｃ  Ｃｏｍｐａｔｉｂｌｉｔｙ；電磁適合性）試験等に、電波暗室が用いられている。この電波暗室は、室内全体を電磁波遮蔽材により覆って、室内を電磁波に対して遮蔽するとともに、室内の壁面や天井面に電波吸収体を設け、壁面や天井面による電波の反射を防止するようになっている。また、室内全体を電磁波遮蔽材によって覆って電磁波遮蔽した電磁波遮蔽室や電波シールド室も、室外からの電磁波の影響を防止する必要のある電子制御室や測定室等の用途に用いられている。【０００３】  従来、上述したような電波暗室には、試験対象物を回動させるためのテーブル、いわゆるターンテーブルを床面上に回動可能な状態で設けたものがある。このような電波暗室における試験では、このターンテーブル上に適宜の試験対象物を搭載して回動させ、試験対象物から発する電磁波、あるいは試験対象物が受ける電磁波を測定したりすることにより、該試験対象物の全周にわたる電波放射特性、高周波放射特性等の試験を行うようになっている（例えば、特許文献１、特許文献２参照）。【０００４】  また、自動車業界において、車両の運転状態における電磁環境適合性（ＥＭＣ）の測定場としてシャーシダイナモメータ付きの電波暗室が用いられている。シャーシダイナモメータは、車両の車輪が載置されたローラにダイナモメータ等を連結し、車両を駆動した際の動力をダイナモメータ等により吸収し、あるいはこれとは逆にダイナモメータにより車両を駆動し、実走行状態を作り出して種々の試験を行うものである。そして、このようなシャーシダイナモメータを用いた種々の試験を精度良く行うために電波暗室が必要とされ、床面上にローラを露呈させた状態で設けた構造の電波暗室が提供されている（例えば、特許文献３参照）。【０００５】
【特許文献１】          特開平１０−２８８６３７号公報
【特許文献２】          特開２０００−１３１３６１号公報
【特許文献３】          特開平０７−２６０８５３号公報
【発明の開示】
【発明が解決しようとする課題】
【０００６】  ところで、前者のターンテーブルを備えた電波暗室において、後者のシャーシダイナモメータを用いた試験を行うには、ターンテーブル上にローラを露呈させた状態で設けることが必要となる。しかし、その一方において、このようにローラを設けると、ターンテーブルをフラットな状態としての試験を行うことができない。【０００７】  従来一般には、フラットな面をもつターンテーブルを備えた電波暗室と、ローラ付きのターンテーブルを備えた電波暗室とを別個に準備することが行われているが、コストが嵩み、実用面で好ましくない。
このため、ローラを設けたターンテーブルの上面にカバー等を設けることも考えられるが、電波暗室での試験を行ううえで性能的に問題である。【０００８】  また、試験の種類や試験対象物によっては、ターンテーブル上に開口部を凹設したり、上述したローラ等のような測定試験に必要な治具等を選択的にターンテーブル上に露呈させたりする必要もある。このため、従来は、ターンテーブル上に開口部を凹設し、これを塞ぐ蓋体を、室外から選択的に搬入して蓋をしたりするようにし、該蓋体上に上記の治具を設けるようにした構造も考えられている。しかし、このような構造では、作業が面倒かつ煩雑であり、また各部の電気的な導通状態を確保する必要もあり、複雑な構造が必要となる。【０００９】  本発明はこのような事情に鑑みてなされたものであり、電波暗室や電磁波遮蔽室等において車両などの試験対象物を搭載して回動することにより電磁気的な試験等を行うにあたって、簡単かつ適切に所要の試験を行うことができる格納扉付きターンテーブル装置を得ることを目的としている。
【課題を解決するための手段】
【００１０】  このような目的に応えるために本発明（請求項１記載の発明）に係る格納扉付きターンテーブル装置は、電波暗室の床面上で回転可能なターンテーブル本体を備えているターンテーブル装置であって、前記ターンテーブル本体の一部に開けられた開口部を開閉する格納扉を備え、この格納扉は、前記開口部内で昇降自在に支持されるとともに、ターンテーブル本体の下面側において水平方向に移動することにより、該開口部を開放するように構成されていることを特徴とする。【００１１】  このような請求項１記載の発明によれば、電波暗室内でのターンテーブルを用いた種々の試験を所要の状態で簡単かつ確実に行うことができるのである。【００１２】  本発明（請求項２記載の発明）に係る格納扉付きターンテーブル装置は、請求項１記載のターンテーブル装置を具体的に限定したものであり、前記格納扉は、左、右一対の扉体を備えていることを特徴とする。
このような請求項２記載の発明によれば、ターンテーブルに設けた格納扉を簡単に開閉することが可能で、種々の試験に使用する治具等の搬入や搬出を簡単に行えることができるのである。【００１３】  本発明（請求項３記載の発明）に係る格納扉付きターンテーブル装置は、請求項１または請求項２記載の格納扉付きターンテーブル装置を具体的に限定したものであり、格納扉の開閉駆動機構は、該格納扉を前記開口部内で昇降動作させる昇降機構部と、ターンテーブル本体の下面側で開口部位置から退避させる水平機構部とから構成されていることを特徴とする。
このような請求項３記載の発明によれば、簡単な構造により、格納扉の開閉を簡単かつ確実に行えることができるのである。【００１４】  本発明（請求項４記載の発明）に係る格納扉付きターンテーブル装置は、請求項１、請求項２または請求項３記載の格納扉付きターンテーブル装置をより具体的に限定したものであり、ターンテーブル本体の下方には、前記開口部に嵌合する基台を備え該基台上に一部を露呈した状態で回転自在に支持される複数のローラを設けてなるローラユニットが昇降自在に配置され、このローラユニットを、前記格納扉の開扉時において前記開口部に嵌合させるように構成されていることを特徴とする。【００１５】  このような請求項３記載の発明によれば、たとえばシャーシダイナモメータを用いた試験等を行うローラ付きのターンテーブルを、選択的にしかも簡単に構成することができるのである。
【発明の効果】
【００１６】  以上説明したように本発明の請求項１記載の発明に係る格納扉付きターンテーブル装置によれば、電波暗室内でのターンテーブルを用いた種々の試験を、所要の状態で簡単かつ確実に行うことができる。【００１７】  また、請求項２記載の発明によれば、ターンテーブルに設けた格納扉を構成する扉体を簡単に開閉することが可能となり、種々の試験に使用する治具等の搬入や搬出を簡単に行えることができる。さらに、請求項３記載の発明によれば、格納扉を開閉駆動する機構を簡単な構造により構成でき、また格納扉の開閉を簡単かつ確実に行えることができる。【００１８】  また、請求項４記載の発明によれば、たとえばシャーシダイナモメータを用いた試験等を行うローラ付きのターンテーブルを、格納扉の開閉に連動して昇降駆動することにより、選択的にしかも簡単に構成することができる。
【発明を実施するための最良の形態】
【００１９】  図１ないし図５は本発明に係る格納扉付きターンテーブル装置の一実施の形態を示す。これらの図において、符号１０は、全体の図示を省略した電波暗室の床面１１上で回転自在なターンテーブル本体１２を備えたターンテーブル装置であって、そのターンテーブル本体１２と前記電波暗室の床面１１とは同一水平面上に位置し、全体がフラットな状態となるように構成されている。【００２０】  このターンテーブル本体１２は、その上部に種々の試験対象物を搭載して回動することにより電磁的な試験等を行うために用いられるものであって、該ターンテーブル本体１２と床面１１とは周知のように電気的な導通状態が確保できる状態とされ、電波暗室としての機能を確保できるように構成されている。これらの床面１１やターンテーブル本体１２の表面には、金属板の上にフェライト等が貼られている。また、この種のターンテーブル本体１２を回転駆動する駆動機構は、従来から周知の通りであり、ここでの具体的な図示および説明は省略する。【００２１】  前記ターンテーブル本体１２は、その一部、ここでは中央部分に矩形状の開口部１３を備え、この開口部１３を開閉する格納扉１４として、左、右一対の扉体１４ａ，１４ｂが設けられている。これらの扉体１４ａ，１４ｂは、図２および図４から明らかなように、前記開口部１３内で昇降自在に支持されるとともに、ターンテーブル本体１２の下面側において水平方向に移動することにより、開口部１３を開放するように構成されている。
なお、格納扉１４を構成する扉体１４ａ，１４ｂは、閉扉時において開口部１３内においてターンテーブル本体１２側と電気的な導通状態を確保できる構造となっていることは勿論である。【００２２】  前記格納扉１４（１４ａ，１４ｂ）の開閉駆動機構２０は、図４および図５に示すように、該格納扉１４を前記開口部１３内で昇降動作させる昇降シリンダ２２ａ，２２ａを有する昇降機構部２２と、ターンテーブル本体１２の下面側で開口部１３位置から退避させる水平シリンダ２１ａ，２１ａを有する水平機構部２１とから構成されている。【００２３】  ここで、図中２０ａは矩形状のフレームであり、このフレーム２０ａ上に前記扉体１４ａ，１４ｂが水平方向に移動可能に支持され、水平シリンダ２１ａ，２１ａにより水平方向に進退動作されるように構成されている。また、上記フレーム２０は、昇降シリンダ２２ａ，２２ａにより上下方向に昇降動作可能に支持され、その動きによってフレーム２０ａを含む全体が昇降動作することにより、扉体１４ａ，１４ｂが開口部１３内で昇降動作するように構成されている。【００２４】  図４において符号３０はローラユニットであり、シャーシダイナモメータ等による試験を行う際に用いられるローラ３１，３１を備えた基台３２，３２とこれらの基台３２，３２ａ間に設けられた仕切台３３とから構成されている。このようなローラユニット３０を、前記開口部１３に対応する下方位置に昇降動作可能に設け、前記格納扉１４を構成する扉体１４ａ，１４ｂが開口している状態で上方に押し上げ、前記開口部１３を塞ぐように嵌合させることで、ローラ３１付きのターンテーブル本体１２を得ることができるように構成されている。【００２５】  なお、このようなローラユニット３０の昇降機構は、周知の構造をもつ駆動機構を用いることができるところであり、ここでの説明は省略する。また、これらのローラユニット３０は、開口部１３に嵌合した状態でターンテーブル本体１２と電気的な導通し、電磁波試験等を適宜行えるようになることは言うまでもない。【００２６】  このような構成によれば、電波暗室内でのターンテーブル１２を用いた種々の試験を、所要の状態で簡単かつ確実に行うことができる。特に、ターンテーブル１２に設けた格納扉１４を構成する扉体１４ａ，１４ｂを簡単に開閉できるから、種々の試験に使用する治具等の搬入や搬出を簡単に行えることができる。さらに、格納扉１４を開閉駆動する機構２０を、水平機構部２１と昇降機構部２２とからなる簡単な構造によって構成でき、しかも格納扉１４の開閉も簡単かつ確実に行えるから、動作上での信頼性も高い。【００２７】  また、たとえばシャーシダイナモメータを用いた試験等を行うローラ３１付きのターンテーブル本体１２を、格納扉１４の開閉に連動して昇降駆動することにより、選択的にしかも簡単に構成することができるので、電波暗室を用いた試験の多様化を図ることができる。【００２８】  なお、本発明は上述した実施の形態で説明した構造には限定されず、各部の形状、構造等を適宜変形、変更し得ることはいうまでもない。たとえば上述した実施の形態では、ローラユニット３０を格納扉１４の開扉時に開口部１３内に臨ませる場合を説明したが、本発���はこれに限らず、開口部１３や格納扉１４を利用して適宜の治具その他を電波暗室内に搬入、搬出し、種々の試験を行うために用いることができることは言うまでもない。【００２９】  また、本発明は、電波暗室内での試験に限らず、電磁波遮蔽室や電波シールド室内での試験にも適用できることは言うまでもない。また、波動としての電磁波を利用した試験に限定されず、たとえば無響室内における波動としての音波を利用した試験にも適用することができる。
【図面の簡単な説明】
【００３０】
【図１】  本発明に係る格納扉付きターンテーブル装置の一実施の形態を示す概略斜視図である。
【図２】  図１の格納扉付きターンテーブル装置において、格納扉の開閉動作を説明するための概略斜視図である。
【図３】  図１、図２の格納扉付きターンテーブル装置において、格納扉を開けて該開口部にローラユニットを配置させたときの概略斜視図である。
【図４】  本発明に係る格納扉付きターンテーブル装置における要部断面図である。
【図５】  本発明に係る格納扉付きターンテーブル装置において、格納扉の開閉機構を説明するための概略斜視図である。
【符号の説明】
【００３１】  １０…格納扉付きターンテーブル装置、１１…電波暗室の床面、１２…ターンテーブル本体、１３…開口部、１４…格納扉、１４ａ，１４ｂ…扉体、２０…格納扉開閉機構、２１…昇降機構部、２２…水平機構部、３０…ローラユニット、３１…ローラ、３２…基台、３３…仕切台。
【図１】
2005156512.tif 000003
【図３】
2005156512.tif 000004
【図２】
2005156512.tif 000005
【図４】
2005156512.tif 000006
【図５】
2005156512.tif 000007